(57)【要約】【課題】遮水領域の遮水方法、及び遮水構造を提供する。【解決手段】金属製剛性構造体２４を設置する遮水領域（地下空洞水槽１００）に可撓性の樹脂シート１２を覆う遮水領域の遮水方法において、前記金属製剛性構造体２４の表面にコーティング層３４を形成して前記金属製剛性構造体２４を前記遮水領域に設置し、前記遮水領域に前記樹脂シート１２を覆うととともに前記樹脂シート１２と前記コーティング層３４とを溶着することにより、前記樹脂シート１２と前記金属製剛性構造体２４間の遮水を行うことを特徴とする。【選択図】図２
2015042393.tif 000002
【特許請求の範囲】
【請求項１】
金属製剛性構造体を設置する遮水領域に可撓性の樹脂シートを覆う遮水領域の遮水方法において、
前記金属製剛性構造体の表面に樹脂コーティング層を形成して前記金属製剛性構造体を前記遮水領域に設置し、
前記遮水領域に前記樹脂シートを覆うととともに前記樹脂シートと前記樹脂コーティング層とを溶着することにより、前記樹脂シートと前記金属製剛性構造体間の遮水を行うことを特徴とする遮水領域の遮水方法。
【請求項２】
前記樹脂シートに開口部を形成して前記金属製剛性構造体を前記開口部に挿通するとともに、前記開口部の内縁を前記樹脂コーティングに溶着させることを特徴とする請求項１に記載の遮水領域の遮水方法。
【請求項３】
前記樹脂コーティング層を、前記樹脂シートと同一材料で形成することを特徴とする請求項１または２に記載の遮水領域の遮水方法。
【請求項４】
前記金属製剛性構造体の周囲に前記開口部よりも径の大きなフランジを設けるとともに、前記フランジ表面に前記樹脂コーティング層を形成し、
前記金属製剛性構造体を前記開口部に挿通させるとともに前記フランジの主面にある前記樹脂コーティング層を、前記開口部を封止するように前記樹脂シートに溶着させることを特徴とする請求項２または３に記載の遮水領域の遮水方法。
【請求項５】
前記金属製剛性構造体の周囲にフランジを設け、
前記フランジ表面に前記樹脂コーティング層を形成し、
前記フランジの主面に樹脂シート片を溶着し、
前記金属製剛性構造体を前記開口部に挿通させるとともに前記樹脂シート片を、前記開口部を封止するように前記樹脂シートに溶着させることを特徴とする請求項２または３に記載の遮水領域の遮水方法。
【請求項６】
前記樹脂シートの遮水領域側の面と前記遮水領域となる壁面により囲まれた空間を形成した状態で、前記金属製剛性構造体を前記壁面にアンカー止めすることを特徴とする請求項１乃至５のいずれか１項に記載の遮水領域の遮水方法。
【請求項７】
前記空間にコンクリートを充填することを特徴とする請求項６に記載の地下空洞水槽の遮水方法。
【請求項８】
前記樹脂シートの前記コンクリート側の面に突起を設けたことを特徴とする請求項７に記載の遮水領域の遮水方法。
【請求項９】
遮水領域を覆う可撓性の樹脂シートと、前記樹脂シートに接合させる金属製剛性構造体を備えた遮水構造において、
少なくとも前記金属製剛性構造体の表面の前記樹脂シートとの接合位置には樹脂コーティング層が形成され、
前記樹脂コーティング層を溶着により前記樹脂シートに接合していることにより前記樹脂シートと前記金属製剛性構造体の間が遮水可能となっていることを特徴とする遮水領域の遮水構造。
【請求項１０】
前記樹脂シートには、開口部が形成され、
前記金属製剛性構造体は、前記開口部に挿通されるとともに前記金属製剛性構造体の周囲の前記樹脂コーティング層が前記開口部の内縁に溶着されていることを特徴とする請求項９に記載の遮水領域の遮水構造。
【請求項１１】
前記樹脂コーティング層は、前記樹脂シートと同一材料で形成されていることを特徴とする請求項９または１０に記載の遮水領域の遮水構造。
【請求項１２】
前記金属製剛性構造体には、その周囲に前記開口部よりも径の大きなフランジが設けられるとともに、前記フランジの表面には前記樹脂コーティング層が形成され、
前記フランジの主面にある前記樹脂コーティング層は、前記開口部を封止するように前記樹脂シートに溶着されていることを特徴とする請求項１０または１１に記載の遮水領域の遮水構造。
【請求項１３】
前記金属製剛性構造体には、その周囲にフランジが設けられるとともに、前記フランジの表面には前記樹脂コーティング層が形成され、
前記フランジの主面には樹脂シート片が溶着され、
前記樹脂シート片は、前記開口部を封止するように前記樹脂シートに溶着されていることを特徴とする請求項１０または１１に記載の遮水領域の遮水構造。
【請求項１４】
前記樹脂シートの遮水領域側の面と前記遮水領域となる壁面により囲まれた空間を形成するとともに、前記金属製剛性構造体を前記壁面にアンカー止めするアンカー部を有することを特徴とする請求項９乃至１３のいずれか１項に記載の遮水領域の遮水構造。
【請求項１５】
前記樹脂シート、及び前記壁面に囲まれた空間には、コンクリートが充填されていることを特徴とする請求項１４に記載の遮水領域の遮水構造。
【請求項１６】
前記樹脂シートの前記コンクリート側の面には、突起が設けられていることを特徴とする請求項１５に記載の遮水領域の遮水構造。
【発明の詳細な説明】
【技術分野】
【０００１】
本発明は、遮水領域の遮水方法、及び遮水構造に関するものである。
【背景技術】
【０００２】
近年、廃棄物処理場や駐留水槽、あるいは、特に都市部での地層における保水力の低下を補うために、地下に多量の雨水を貯水し、この雨水を十分な時間をかけて河川等に放流したり、汲み上げて防火用水等として使用する地下空洞水槽が用いられており、これらの遮水領域を遮水するための樹脂製の遮水シートが用いられている。
【０００３】
ところで、廃棄物処理場や地上で貯留水槽、または地下空洞水槽を設置する場合、遮水領域を遮水するための樹脂シートと剛性構造体を接合しなければならない場合がある。この場合、当然これらの接合部においても遮水することが必要となる。剛性構造体が樹脂製のものであれば、剛性構造体に水密性を満足する樹脂コーティング層を設けることが容易であるから、樹脂シートと樹脂製の剛性構造体の場合は、溶着によって遮水を十分かつ強固に行なうことができる（特許文献１参照）。
【先行技術文献】
【特許文献】
【０００４】
【特許文献１】特開２００２−１２６６８０号公報
【発明の概要】
【発明が解決しようとする課題】
【０００５】
ところで、特許文献１のような遮水シートと樹脂製の剛性構造体の取り合い部の接合を、金属製の剛性構造体を用いる場合に適用しようとすると、単に押し出し溶接のみによって樹脂シートと金属製剛性構造体の取り合い部を接合したり、金属製のバンドを用いて樹脂シートを金属製剛性構造体に固定することが考えられる。しかし、このような方法を用いると、将来的に接合箇所を通じて外部に水が漏洩する可能性があるという問題があった。
【０００６】
また、このような廃棄物処分場や、地上での貯水水槽、地下空洞水槽を大容量で形成する場合、長い年月をかけて地盤や壁面形状が経時変化することが知られている。したがって、この地盤や壁面形状の変化に伴い金属製剛性構造体が変位し、この変位により遮水シートや遮水シートと金属製剛性構造体との接合部に対して引張力が印加され、その引張力が印加された部分が破損して遮水性が破壊されるという問題が生じる可能性もあった。
【０００７】
そこで、本発明は、上記問題点に着目し、剛性構造体が金属製である場合に、遮水シートを接合する必要がある遮水領域おいて、遮水シートと金属製剛性構造体との間の遮水性を確保することを第１の目的としている。また本発明は、地盤や空洞の形状変化に伴って金属製剛性構造体が変位しても遮水性を維持することを第２の目的としている。
【課題を解決するための手段】
【０００８】
上記目的を達成するため、本発明に係る遮水領域の遮水方法は、金属製剛性構造体を設置する遮水領域に可撓性の樹脂シートを覆う遮水領域の遮水方法において、前記金属製剛性構造体の表面に樹脂コーティング層を形成して前記金属製剛性構造体を前記遮水領域に設置し、前記遮水領域に前記樹脂シートを覆うととともに前記樹脂シートと前記樹脂コーティング層とを溶着することにより、前記樹脂シートと前記金属製剛性構造体間の遮水を行うことを特徴とする。
【０００９】
上記方法により、金属製剛性構造体の表面に樹脂コーティング層があり、剛性構造体が樹脂製のものでなくても剛性構造体とコーティング層との間の遮水性は確保されている。またコーティング層、樹脂シートは、それぞれ樹脂材料で形成されているため、溶着を確実に行うことができ、溶着部分における遮水性を高めることができる。したがって、樹脂シートに直接溶着できない素材で形成された金属製剛性構造体が配置されていても、遮水性を確保することができる。
【００１０】
そして、遮水領域は、その形状が長い時間をかけて変化し、これにより金属製剛性構造体が変位して樹脂シートを引っ張ることがあるが、この場合であっても樹脂シートには可撓性があり、引っ張りに応じて伸張することができるので、遮水性を維持することが可能となる。
【００１１】
本発明において、前記樹脂シートに開口部を形成して前記金属製剛性構造体を前記開口部に挿通するとともに、前記開口部の内縁を前記樹脂コーティングに溶着させることを特徴とする。
上記方法により、金属製剛性構造体が樹脂シートを貫通する場合でも遮水性を確保することができる。
【００１２】
本発明において、前記樹脂コーティング層を、前記樹脂シートと同一材料で形成することを特徴とする。
上記方法により、樹脂コーティング層と、樹脂シートとの溶着を容易に行うことができる。
【００１３】
本発明において、前記金属製剛性構造体の周囲に前記開口部よりも径の大きなフランジを設けるとともに、前記フランジ表面に前記樹脂コーティング層を形成し、前記金属製剛性構造体を前記開口部に挿通させるとともに前記フランジの主面にある前記樹脂コーティング層を、前記開口部を封止するように前記樹脂シートに溶着させることを特徴とする。
【００１４】
上記方法により、樹脂シートと樹脂コーティング層との接合面積を増やして、溶着を確実に行うことができる。また、フランジの主面と樹脂シート片、及び樹脂シートの面が略平行となるので、樹脂シート片を変形させることなく剛性構造体に溶着することができる。
【００１５】
本発明において、前記金属製剛性構造体の周囲にフランジを設け、前記フランジ表面に前記樹脂コーティング層を形成し、前記フランジの主面に樹脂シート片を溶着し、前記金属製剛性構造体を前記開口部に挿通させるとともに前記樹脂シート片を、前記開口部を封止するように前記樹脂シートに溶着させることを特徴とする。
【００１６】
上記方法により、樹脂シートを変形させることなく金属製剛性構造体に接続可能となる。また、金属製剛性構造体と樹脂シート片との溶着は工場や現場でも地上で作業可能なため高精度に行うことが可能である。一方、樹脂シートと樹脂シート片との溶着が、曲率半径の比較的大きい部分となる開口部の周囲において行なうことになるので、現場での溶着作業を容易に行うことができる。
【００１７】
本発明において、前記樹脂シートの遮水領域側の面と前記遮水領域となる壁面により囲まれた空間を形成した状態で、前記金属製剛性構造体を前記壁面にアンカー止めすることを特徴とする。
上記方法により、金属製剛性構造体を安定的に配置する事ができ、特に地下空洞水槽を都市部に設置する場合等には、インフラ設備の内部空間に露出した部分を内部空間に配置した架構により支持する構成が提案されているが、このような地下空洞水槽において、架構を安定的に配置することができる。
【００１８】
本発明において、前記空間にコンクリートを充填することを特徴とする。
上記方法において、金属製剛性構造体と樹脂シートとの境界に水が浸入した場合、その経路は、金属製剛性構造体の表面に沿ったものとなる。また、金属製剛性構造体にフランジを設けた場合、その経路がフランジの外形に従って折り曲げられるとともに延長されるので、壁面への水の漏出を抑制することができる。
【００１９】
本発明において、前記樹脂シートの前記コンクリート側の面に突起を設けたことを特徴とする。
上記方法により、突起が抜け止めとなるため、樹脂シートのコンクリートからの剥離を防止することができる。
【００２０】
一方、本発明に係る遮水領域の遮水構造は、遮水領域を覆う可撓性の樹脂シートと、前記樹脂シートに接合させる金属製剛性構造体を備えた遮水構造において、少なくとも前記金属製剛性構造体の表面の前記樹脂シートとの接合位置には樹脂コーティング層が形成され、前記樹脂コーティング層を溶着により前記樹脂シートに接合していることにより前記樹脂シートと前記金属製剛性構造体の間が遮水可能となっていることを特徴とする。
【００２１】
上記構成により、金属製剛性構造体に樹脂コーティングされているため、金属製剛性構造体と樹脂コーティング層との間の遮水性は確保されている。また樹脂コーティング層、樹脂シートはそれぞれ樹脂材料で形成されているため、溶着を確実に行うことができ、溶着部分における遮水性を高めることができる。したがって、樹脂シートと直接溶着出来ない素材で形成された金属製剛性構造体が配置されていても、遮水性を確保することが可能な遮水構造となる。
【００２２】
そして、遮水領域は、その形状が長い時間をかけて変化し、これにより金属製剛性構造体が変位して樹脂シートを引っ張ることがあるが、この場合であっても樹脂シートには可撓性があり、引っ張りに応じて伸張することができるので、遮水性を維持することが可能な遮水構造となる。
【００２３】
本発明において、前記樹脂シートには、開口部が形成され、前記金属製剛性構造体は、前記開口部に挿通されるとともに前記金属製剛性構造体の周囲の前記樹脂コーティング層が前記開口部の内縁に溶着されていることを特徴とする。
上記構成により、金属製剛性構造体が樹脂シートを貫通する場合でも遮水性を確保することができる。
【００２４】
本発明において、前記樹脂コーティング層は、前記樹脂シートと同一材料で形成されていることを特徴とする。
上記構成により、樹脂コーティング層と、樹脂シートとの溶着を容易に行うことができる。
【００２５】
本発明において、前記金属製剛性構造体には、その周囲に前記開口部よりも径の大きなフランジが設けられるとともに、前記フランジの表面には前記樹脂コーティング層が形成され、前記フランジの主面にある前記樹脂コーティング層は、前記開口部を封止するように前記樹脂シートに溶着されていることを特徴とする。
【００２６】
上記構成により、樹脂シートと樹脂コーティング層との接合面積を増やして、溶着を確実に行うことができる。また、フランジの主面と樹脂シート片、及び樹脂シートの面が略平行となるので、樹脂シート片を変形させることなく剛性構造体に溶着することができる。
【００２７】
本発明において、前記金属製剛性構造体には、その周囲にフランジが設けられるとともに、前記フランジの表面には前記樹脂コーティング層が形成され、前記フランジの主面には樹脂シート片が溶着され、前記樹脂シート片は、前記開口部を封止するように前記樹脂シートに溶着されていることを特徴とする。
【００２８】
上記構成により、樹脂シートを変形させることなく金属製剛性構造体に接続可能となる。また、金属製剛性構造体と樹脂シート片との溶着は工場や現場でも地上で作業可能なため高精度に行うことが可能である。一方、樹脂シートと樹脂シート片との溶着が、曲率半径の比較的大きい部分となる開口部の周囲において行なうことになるので、現場での溶着作業を容易に行うことができる。
【００２９】
本発明において、前記樹脂シートの遮水領域側の面と前記遮水領域となる壁面により囲まれた空間を形成するとともに、前記金属製剛性構造体を前記壁面にアンカー止めするアンカー部を有することを特徴とする。
上記構成により、金属製剛性構造体を安定的に配置する事ができ、特に地下空洞水槽を都市部に設置する場合等には、インフラ設備の内部空間に露出した部分を内部空間に配置した架構により支持する構成が提案されているが、このような地下空洞水槽において、架構を安定的に配置することができる。
【００３０】
本発明において、前記樹脂シート、及び前記壁面に囲まれた空間には、コンクリートが充填されていることを特徴とする。
上記構成において、金属製剛性構造体と樹脂シートとの境界に水が浸入した場合、その経路は、金属製剛性構造体の表面に沿ったものとなる。また、金属製剛性構造体にフランジを設けた場合、その経路がフランジの外形に従って折り曲げられるとともに延長されるので、壁面への水の漏出を抑制することができる。
【００３１】
本発明において、前記樹脂シートの前記コンクリート側の面には、突起が設けられていることを特徴とする。
上記方法により、突起が抜け止めとなるため、樹脂シートのコンクリートからの剥離を防止することができる。
【発明の効果】
【００３２】
本発明による、遮水領域の遮水方法、及び遮水構造によれば、樹脂シートと金属製剛性構造体の接合が必要となる遮水領域において、樹脂シートと金属製剛性構造体との間の遮水性を確保することができ、また、地盤や壁面の形状変化に伴って金属製剛性構造体が変位しても遮水性を維持することができる。
【図面の簡単な説明】
【００３３】
【図１】第１実施形態の遮水構造の適用対象となる地下空洞水槽の模式図である。
【図２】第１実施形態の遮水構造の模式図である。
【図３】第１実施形態の遮水構造の分解模式図である。
【図４】第１実施形態の遮水構造の取り付け工程（アンカーの打ち込み作業）を示す図である。
【図５】第１実施形態の遮水構造の取り付け工程（金属製剛性構造体の取り付け作業）を示す図である。
【図６】第１実施形態の遮水構造の取り付け工程（セパレータ及び樹脂シートの取り付け作業）を示す図である。
【図７】第１実施形態の遮水構造の取り付け工程（コンクリートの打設作業）を示す図である。
【図８】第１実施形態の遮水構造の取り付け工程（不要部分の撤去作業）を示す図である。
【図９】第２実施形態の遮水構造の模式図である。
【図１０】第３実施形態の遮水構造の模式図である。
【図１１】第４実施形態の遮水構造の模式図である。
【図１２】第５実施形態の遮水構造の模式図である。
【発明を実施するための形態】
【００３４】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００３５】
図１に、第１実施形態の遮水構造の適用対象となる地下空洞水槽の模式図を示す。図１に示すように、地下空洞水槽１００は、地下の岩盤１０２を刳り貫いて形成された空洞１０４の遮水領域となる壁面１０６（空洞１０４の側面及び底面）を樹脂シート１２で覆い、壁面１０６と樹脂シート１２との間にコンクリート１０８を打設したものである。地下空洞水槽１００内には、インフラ設備が貫通したり、地下空洞水槽１００に蓄えられた水の状態等を監視する計測装置等が配置されている。よって地下空洞水槽１００内には、これらのものを支持するための架構１１０が配置されている。
【００３６】
架構１１０は支柱１１２により支持され、支柱１１２は樹脂シート１２を貫通する金属製剛性構造体２４により支持される。また金属製剛性構造体２４は、コンクリート１０８内で岩盤１０２に打ち付けられたアンカー部３６に接続され、アンカー部３６に支持されている。図１においては、空洞１０４の底面に支柱１１２がアンカー止めされているが空洞１０４の側面に支柱１１２がアンカー止めされてもよい。
【００３７】
図２に、第１実施形態の遮水構造の模式図を示し、図３に第１実施形態の遮水構造の分解模式図を示す。図２（図３）は、図１の破線で囲まれた部分を拡大した図となっている。図２、図３に示すように、本実施形態の遮水構造１０は、樹脂シート１２（第１の樹脂シート１４、第２の樹脂シート１８）、金属製剛性構造体２４、アンカー部３６等により構築される。
【００３８】
上述の地下空洞水槽１００においては、岩盤１０２（壁面１０６）に対する遮水を行なう樹脂シート１２に金属製剛性構造体２４が貫通しているため、樹脂シート１２の金属製剛性構造体２４の貫通箇所を通じて漏水する虞がある。
【００３９】
このため、本実施形態に係る地下空洞水槽１００の遮水方法は、金属製剛性構造体２４を設置する遮水領域（地下空洞水槽１００）に可撓性の樹脂シート（第１の樹脂シート１４、第２樹脂シート１８）を覆う地下空洞水槽１００の遮水方法において、前記金属製剛性構造体２４の表面に樹脂コーティング層（コーティング層３４）を形成して前記金属製剛性構造体２４を前記遮水領域に設置する。そして、前記遮水領域に前記樹脂シートを覆うととともに前記樹脂シートと前記樹脂コーティング層とを溶着することにより、前記樹脂シートと前記金属製剛性構造体間の遮水を行っている。
【００４０】
樹脂シート１２は、地下空洞水槽１００の壁面１０６に対する遮水を行なう遮水シートである。樹脂シート１２は、可撓性を有する樹脂（高分子材料）等により形成されたシートであり、本実施形態では、例えば塩化ビニル樹脂（ＰＶＣ）、エチレン酢酸ビニル共重合体（ＥＶＡ）、熱可塑性ポリウレタン樹脂（ＴＰＵ）、ポリエチレン樹脂（ＰＥ）等が利用できる。これらの材料を用いることにより、溶着強度及び溶着部の耐久性を高めることができる。
【００４１】
樹脂シート１２の一方の面は貯水された水に接触し、他方の面はコンクリート１０８に接触する。樹脂シート１２のコンクリート１０８側の面には突起２２が設けられている。突起２２は、その幅が壁面１０６側に向かうにつれて末広がりとなる形状を有している。これにより、突起２２がコンクリート１０８に対する抜け止めとなるので、樹脂シート１２のコンクリート１０８からの剥離を防止することができる。
【００４２】
樹脂シート１２は、空洞１０４の壁面１０６を覆うとともに金属製剛性構造体２４を挿通する開口部１６（図３）を備えた第１の樹脂シート１４を有する。また、樹脂シート１２は、金属製剛性構造体２４の外周を覆うように金属製剛性構造体２４に接続されるとともに開口部１６の周囲に溶着して開口部１６を封止する第２の樹脂シート１８を有する。
【００４３】
金属製剛性構造体２４は、中心線Ｏ（図３）を中心軸とした円柱形（角柱やＨ鋼等の他の形状を有するものでもよい）の部材である。金属製剛性構造体２４の壁面１０６側の端部にはアンカー部３６を嵌め込む貫通孔３０（図３）を有する固定フランジ２８が設けられ、その反対側の端部には支柱１１２とフランジ接続するための接続フランジ２６が設けられている。また金属製剛性構造体２４の両端部の間となる位置には中央フランジ３２が設けられている。接続フランジ２６、固定フランジ２８、中央フランジ３２は、金属製剛性構造体２４と同心円を形成するように設けられている。
【００４４】
中央フランジ３２と、金属製剛性構造体２４の中央フランジ３２の周囲の側面には樹脂シート１２と同一材料のコーティング層３４が設けられている。コーティング層３４は、流動浸漬法により形成することができる。すなわち、樹脂粉体を流動させた層内に、脱脂及びプライマー処理をした後２６０℃〜３２０℃に加熱した金属製剛性構造体を、前記層内に浸漬して引き上げる事によって樹脂粉体を付着させ、２００℃〜３２０℃で後加熱した後に冷却することによって、コ樹脂コーティング層を形成する。その樹脂コーティング層のうち、中央フランジ３２とその周辺となる金属製剛性構造体２４の側面以外の部分を剥ぎ取ることによりコーティング層３４が得られる。これにより、金属製剛性構造体２４と樹脂コーティング層３４間について、水密性のある樹脂コーティング層を被覆することが可能となる。その被覆厚さは、１．０〜５．０ｍｍとすることが好ましい。
【００４５】
コーティング層３４の中央フランジ３２に形成された部分に第２の樹脂シート１８が溶着される。第２の樹脂シート１８は、中央フランジ３２よりやや小さな内径の開口部２０（図３）を有している。そして、開口部２０の周囲と、中央フランジ３２上のコーティング層３４とが互いに溶着され、溶着部分は中央フランジ３２とほぼ同心状のリング形状となる。なお、接続フランジ２６の直径が第２の樹脂シート１８の開口部２０の内径より大きくても、第２の樹脂シート１８は可撓性を有するため、接続フランジ２６を開口部２０に挿通することは可能である。
【００４６】
アンカー部３６は、壁面１０６から空洞１０４側に露出した状態で岩盤１０２に打ち付けられたものである。また、アンカー部３６は、前述のように固定フランジ２８の貫通孔３０に嵌め込まれることにより金属製剛性構造体２４を固定するものである。さらに、本実施形態では、後述のセパレータ４０を固定するためのアンカー部３８（図２）も用いられる。
【００４７】
次に第１実施形態の遮水構造１０の取り付け工程について説明する。図４乃至図８に、第１実施形態の遮水構造の取り付け工程を示す。本実施形態の遮水構造１０の取り付けは、樹脂シート１２を用いた地下空洞水槽１００の空洞１０４の壁面１０６に対する遮水工事と並行して行なわれる。なお、取り付け工程においては、上述の構成要素以外に、岩盤１０２（壁面１０６）と樹脂シート１２との間にコンクリート１０８を流し込むための型枠４２（図６）と、型枠４２（セパレータ４０）を支持するアンカー部３８と、型枠４２を壁面１０６から一定の距離で支持するためのセパレータ４０（図６）と、が用いられる。
【００４８】
先ず、型枠４２の壁面１０６側の面に第１の樹脂シート１４を予め貼り付け、突起２２が壁面１０６に向くようにする（図６参照）。また金属製剛性構造体２４にコーティング層３４を形成するとともに、第２の樹脂シート１８とコーティング層３４とを溶着する（図５参照）。この溶着は、工場等で行なうが、第２の樹脂シート１８の突起２２が固定フランジ２８側（壁面１０６側）に向くように溶着する。
【００４９】
図４に示すように、岩盤１０２の壁面１０６（側面、底面）にアンカー部３６、アンカー部３８を打ち付け、図５に示すように、予めコーティング層３４及び第２の樹脂シート１８が設けられた金属製剛性構造体２４の貫通孔３０にアンカー部３６を挿通させて嵌め込み、金属製剛性構造体２４をアンカー部３６に固定する。
【００５０】
図６に示すように、セパレータ４０をアンカー部３８に固定し、予め第１の樹脂シート１４を貼り付けた型枠４２をセパレータ４０により固定し、コンクリート１０８を打設するための空間を樹脂シート１２（第１の樹脂シート、第２の樹脂シート１８）と壁面１０６との間に形成する。このとき、型枠４２は、第１の樹脂シート１４と第２の樹脂シート１８との間との境界を覆うように配置し、コンクリート１０８（図７参照）の漏れを防止している。また、第１の樹脂シート１４と第２の樹脂シート１８は、同一平面上に配置される。図７に示すように、樹脂シート１２と壁面１０６との間にコンクリート１０８を流し込み、コンクリート１０８が固まるまで放置する。
【００５１】
図８に示すように、コンクリート１０８が固まったら、型枠４２を撤去し、セパレータ４０の第１の樹脂シート１４から露出した部分を切除する。型枠４２を撤去する際、型枠４２から第１の樹脂シート１４を剥離することになるが、第１の樹脂シート１４には突起２２があるので、型枠４２の撤去の際に第１の樹脂シート１４がコンクリート１０８から剥離することはない。
【００５２】
図２に示すように、第１の樹脂シート１４と第２の樹脂シート１８とを溶着する。この場合、第１の樹脂シート１４と第２の樹脂シート１８との境界を跨ぐように樹脂シート１２と同一の材料となる溶着部材４４をあてがい、溶着部材４４を第１の樹脂シート１４及び第２の樹脂シート１８に溶着させる。または、第２の樹脂シート１８を第１の樹脂シート１４の開口部１６を覆う程度の大きさにしておき、第２の樹脂シート１８の第１の樹脂シート１４とのオーバーラップ部分を第１の樹脂シート１４に直接溶着させてもよい。いずれの場合であっても溶着部分（溶着部材４４）は第２の樹脂シート１８の周縁においてリング状に形成される。
【００５３】
また、セパレータ４０の第１の樹脂シート１４からの露出部分を覆うように樹脂シート１２と同一の材料となる溶着部材４６をあてがい、溶着部材４６を第１の樹脂シート１４に溶着する。これにより壁面１０６（岩盤１０２）に対する遮水構造１０が構築される。最後に、接続フランジ２６に支柱１１２をフランジ接続する。
【００５４】
ところで、廃棄物処分場や地上で貯留水槽を設置する場合には、遮水領域を遮水するための樹脂シート１２の内外に挿通される導水管や配水管、漏水検知用の配線等を通すパイプ等の金属製剛性構造体２４を設けたりする必要がある。また、地下空洞水槽１００を都市部に設置する場合には、既に配置した水道配管や電気配線等のインフラ設備との干渉を回避することは困難である。そこで、新たに設置する地下空洞水槽１００の内部空間に、既に設置したインフラ設備を通過させ、インフラ設備の内部空間に露出した部分を内部空間に配置した架構１１０により支持する構成が提案されている。しかし、これらの場合、樹脂シート１２と金属製剛性構造体２４の取り合い部（接合部）が複雑になるため、さらに遮水性が問題となる可能性があった。
【００５５】
これに対して、上記工程を経て構築された遮水構造１０では、金属製剛性構造体２４の表面に樹脂シート１２の材料であるコーティング層３４があり、金属製剛性構造体２４とコーティング層３４との間の遮水性は確保されている。またコーティング層３４、第１の樹脂シート１４、第２の樹脂シート１８は同一材料で形成されているため、溶着を確実に行うことができ、溶着部分における遮水性を高めることができる。したがって、樹脂シート１２を貫通する態様で金属製剛性構造体２４が配置されていても、第１の樹脂シート１４及び第２の樹脂シート１８での遮水性を確保することができる。
【００５６】
また、本実施形態では、樹脂シート１２に金属製剛性構造体２４を挿通させる場合は、前記可撓性の第１の樹脂シート１４に開口部１６が形成され、前記金属製剛性構造体２４が、前記開口部１６に挿通され、コーティング層３４が、開口部１６に挿通された金属製剛性構造体２４の少なくとも外周を覆うようにコーティングされており、開口部１６（貫通孔）が形成され、その内縁部の一方の面が金属製剛性構造体２４に溶着されると共に、外縁部が開口部１６に溶着される第２の樹脂シート１８（樹脂シート片）を備えている。これにより、前述のような複雑な取り合い部（接合部）においても、十分な遮水性（止水性）を有し、かつ強固に接合を行うことができる。
【００５７】
また、金属製剛性構造体２４と第２の樹脂シート１８との溶着は工場等で高精度に行うことが可能である。一方、第１の樹脂シート１４と第２の樹脂シート１８との溶着が、曲率半径の比較的大きい部分となる開口部１６の周囲において行なうことになるので、現場での溶着作業を容易に行うことができる。
【００５８】
そして、地下水槽空洞１００は、その形状が長い時間をかけて変化し、これにより金属製剛性構造体２４が変位して樹脂シート１２を引っ張ることがあるが、この場合であっても樹脂シート１２には可撓性があるので引っ張りに応じて伸張することができるので、遮水性を維持することができる。
【００５９】
本実施形態の樹脂シート１２を、例えば、ポリエチレンで形成することにより難溶性の樹脂シート１２となるので、樹脂シート１２の材料が貯水側へ溶け出すことを回避することができる。また、本実施形態では、第２の樹脂シート１８を中央フランジ３２上のコーティング層３４に溶着している。これにより、中央フランジ３２上のコーティング層３４の主面と樹脂シート１２の面が平行となるので、第２の樹脂シート１８を変形させることなく金属製剛性構造体２４に接続することができる。
【００６０】
そして、本実施形態では、樹脂シート１２、金属製剛性構造体２４、及び壁面１０６により囲まれた空間にコンクリート１０８を充填している。金属製剛性構造体２４と樹脂シート１２との境界に水が浸入した場合、その経路は、金属製剛性構造体２４の表面に沿ったものとなる。また、金属製剛性構造体２４は、フランジ形状になっている。したがって、その経路が中央フランジ３２の外形に従って折り曲げられるとともに延長されるので、岩盤１０２（壁面１０６）への水の漏出を抑制することができる。
【００６１】
また本実施形態では、金属製剛性構造体２４の岩盤１０２側に固定フランジ２８が配置されているが、この固定フランジ２８によっても浸入した水の経路が折り曲げられるとともに延長されるので、岩盤１０２（壁面１０６）への水の漏出を抑制することができる。
【００６２】
図９に、第２実施形態の遮水構造の模式図を示す。なお、以下の実施形態において、第１実施形態と共通の構成要素については同一番号を付し、必要な場合を除いてその説明を省略する。図９に示すように、第２実施形態の遮水構造１０ａは、金属製剛性構造体２４に中央フランジ３２は設けず、金属製剛性構造体２４の外周に樹脂シート１２の材料によるコーティング層３４を配置し、第２の樹脂シート１８をＬ字型に折り曲げて、金属製剛性構造体２４の外周を覆うようにコーティング層３４に接触させた状態で、第２の樹脂シート１８をコーティング層３４に溶着させている。本実施形態においても、第２の樹脂シート１８とコーティング層３４との溶着を工場等で行なうことができる。
【００６３】
図１０に第３実施形態の遮水構造の模式図を示す。第３実施形態の遮水構造１０ｂは、金属製剛性構造体２４が樹脂シート１２を貫通せず、且つ壁面にアンカー止めされていない場合を示している。金属製剛性構造体２４（金属板が好適）は、壁面１０６に埋め込まれているが樹脂シート１２に対向する面が壁面１０６から露出しており、その対向面は、コーティング層３４で覆われている。そして、このコーティング層３４と樹脂シート１２とを溶着することにより遮水構造１０ｂが構築される。なお、図１０に示すように、樹脂シート１２に孔１２ａが形成されていても、この孔１２ａをコーティング層３４で塞ぐことにより遮水構造１０ｂが構築できる。
【００６４】
図１１に第４実施形態の遮水構造の模式図を示す。第４実施形態の遮水構造１０ｃでは、金属製剛性構造体２４（金属製パイプが好適）は水平に配置されるが、その長手方向の一方側が壁面１０６に埋め込まれているとともに、その反対側が第１の樹脂シート１４を貫通している。金属製剛性構造体２４の側面はコーティング層３４で覆われている。一方、第１の樹脂シート１４には、開口部１６が形成され、この開口部１６に金属製剛性構造体２４が挿通されている。そして、第２の樹脂シート１８（樹脂シート片）は、コーティング層３４の金属製剛性構造体２４の側面を周回する方向の全周に溶着されるとともに、開口部１６の周囲（全周）に溶着され、開口部１６を封止するように配置されている。
【００６５】
図１２に第５実施形態の遮水構造の模式図を示す。第５実施形態の遮水構造１０ｄは、第４実施形態と同様に、金属製剛性構造体２４（金属製パイプが好適）は水平に配置されるが、その長手方向の一方側が壁面１０６に埋め込まれているとともに、その反対側が第１の樹脂シート１４を貫通している。また、金属製剛性構造体２４はリング状の中央フランジ３２に差し込まれた形となっている。ただし、中央フランジ３２の主面は、第１の樹脂シート１４と同一平面を形成するように配置される。
【００６６】
さらに、中央フランジ３２の表面と金属製剛性構造体２４の側面がコーティング層３４で覆われている。そして、第２の樹脂シート１８（樹脂シート片）は、中央フランジ３２の主面に配置されたコーティング層３４の中央フランジ３２の主面を周回する方向の全周に溶着されるとともに、開口部１６の周囲（全周）に溶着され、開口部１６を封止するように配置されている。
【００６７】
第４実施形態、第５実施形態において、金属製剛性構造体２４が埋め込まれる壁面１０６は上向きの斜面となっている。このように壁面０６が斜面であっても、第２の樹脂シート１８が第１の樹脂シート１４（開口部１６）とコーティング層３４との間を封止するので遮水構造を確実に構築することができる。
【００６８】
なお、第１、第２、第４、第５実施形態において、金属製剛性構造体２４は中空形状とし、岩盤１０２を貫通する配管（不図示）を金属製剛性構造体２４の固定フランジ２８にフランジ接続することにより、貯水した水の排水機能を持たせた遮水構造１０にすることも可能である。また、第１、第２、第４、第５実施形態において、樹脂シート１２を第１の樹脂シート１４と第２の樹脂シート１８に分割せずに、樹脂シート１２に形成した開口部（第２の樹脂シート１８の開口部２０）に、予めコーティング層３４が設けられた金属製剛性構造体２４を挿通して、その開口部を封止するようにコーティング層３４を樹脂シート１２に溶着してもよい。
【産業上の利用可能性】
【００６９】
樹脂シートと金属製剛性構造体の接合が必要となる遮水領域において、樹脂シートと金属製剛性構造体との間の遮水性を確保することができ、また、地盤や壁面の形状変化に伴って金属製剛性構造体が変位しても遮水性を維持することが可能な遮水領域の遮水方法、及び遮水構造として利用できる。
【符号の説明】
【００７０】
１０………遮水構造、１２………樹脂シート、１４………第１の樹脂シート、１６………開口部、１８………第２の樹脂シート、２０………開口部、２２………突起、２４………金属製剛性構造体、２６………接続フランジ、２８………固定フランジ、３０………貫通孔、３２………中央フランジ、３４………コーティング層、３６………アンカー部、３８………アンカー部、４０………セパレータ、４２………型枠、４４………溶着部材、４６………溶着部材、１００………地下空洞水槽、１０２………岩盤、１０４………空洞、１０６………壁面、１０８………コンクリート、１１０………架構、１１２………支柱。
【図１】
2015042393.tif 000003
【図２】
2015042393.tif 000004
【図３】
2015042393.tif 000005
【図４】
2015042393.tif 000006
【図５】
2015042393.tif 000007
【図６】
2015042393.tif 000008
【図７】
2015042393.tif 000009
【図８】
2015042393.tif 000010
【図９】
2015042393.tif 000011
【図１０】
2015042393.tif 000012
【図１１】
2015042393.tif 000013
【図１２】
2015042393.tif 000014